【手続補正書】
【提出日】平成17年5月20日(2005.5.20)
【手続補正１】
【補正対象書類名】明細書
【補正対象項目名】特許請求の範囲
【補正方法】変更
【補正の内容】
【特許請求の範囲】
【請求項１】
ベース周波数を有するベースクロック信号から電子装置のため基準周波数を有する基準クロック信号を発生するクロック信号発生器であって、
前記電子装置の外部にあるさまざまなベース信号源の１つに結合され、前記ベース信号源から前記ベースクロック信号を受けるための第１の入力を含み、前記ベースクロック信号の前記ベース周波数は前記第１の入力が結合される前記さまざまな前記ベース信号源のうちの前記１つに依って可変であり、前記クロック信号発生器はさらに、
前記電子装置の外部にある記憶装置に結合され、前記記憶装置から前記ベース周波数の値を受けるための第２の入力を含み、前記記憶装置は前記第１の入力が結合される前記さまざまな前記ベース信号源のうちの前記１つに対応し、前記クロック信号発生器はさらに、
複数の分周器を含み、各分周器は、前記第１の入力に結合され、それぞれの周波数を有するそれぞれの分周クロック信号を発生するようそれぞれの係数によって前記ベースクロック信号の前記ベース周波数を分周し、前記クロック信号発生器はさらに、
前記複数の分周クロック信号から前記基準周波数に最も近いそれぞれの周波数を有する分周クロック信号を前記基準クロック信号として選択するよう、前記第２の入力と前記複数の分周器とに結合されるマルチプレクサを含む、クロック信号発生器。
【請求項２】
第１の基準周波数を有する第１の基準クロック信号と、第２の基準周波数を有する第２の基準クロック信号とが、前記第１の基準周波数に最も近い第１のそれぞれの周波数を有する第１の分周クロック信号を前記マルチプレクサが前記第１の基準クロック信号として選択することによって、および前記第２の基準周波数に最も近い第２のそれぞれの周波数を有する第２の分周クロック信号を前記第２の基準クロック信号として前記マルチプレクサが選択することによって発生される、請求項１に記載のクロック信号発生器。
【請求項３】
前記第１の入力と前記第２の入力と前記記憶装置とに結合され、前記記憶装置から前記ベース周波数の前記値を読出すために前記ベースクロック信号から記憶装置周波数を有する記憶装置クロック信号を発生するための記憶装置クロック信号発生器をさらに含む、請求項１に記載のクロック信号発生器。
【請求項４】
前記記憶装置クロック信号発生器は、
各々が前記第１の入力に結合され、それぞれの周波数を有するそれぞれの分周クロック信号を発生するようそれぞれの係数によって前記ベースクロック信号の前記ベース周波数を分周するための第２の複数の分周器と、
前記第２の複数の分周器の前記分周クロック信号から前記記憶装置周波数に最も近いそれぞれの周波数を有する分周クロック信号を前記記憶装置クロック信号として選択するよう前記第２の入力と前記第２の複数の分周器とに結合される第２のマルチプレクサとをさらに含む、請求項３に記載のクロック信号発生器。
【請求項５】
前記電子装置が初期化している最中に、前記第２のマルチプレクサは、前記第２の複数の分周器の前記分周クロック信号の前記それぞれの周波数のうち最も低い周波数であるそれぞれの周波数を有する分周クロック信号を前記記憶装置クロック信号として選択する、請求項４に記載のクロック信号発生器。
【請求項６】
前記電子装置はコンピュータホストシステムとコンピュータネットワークとの間に結合されるイーサネットコンピュータネットワーク周辺装置であり、前記ベース信号源は前記コンピュータホストシステムからであり、前記ベース周波数の前記値を含む前記記憶装置は前記コンピュータホストシステム内のＥＥＰＲＯＭである、請求項１に記載のクロック信号発生器。
【請求項７】
前記電子装置はコンピュータホストシステムとコンピュータネットワークとの間に結合されるイーサネットコンピュータネットワーク周辺装置であり、前記ベース信号源は前記コンピュータネットワークからであり、前記ベース周波数の前記値を含む前記記憶装置は前記コンピュータネットワーク内のＥＥＰＲＯＭである、請求項１に記載のクロック信号発生器。
【請求項８】
ベース周波数を有するベースクロック信号から電子装置のため基準周波数を有する基準クロック信号を発生するクロック信号発生器であって、
前記電子装置の外部にあるベース信号源に結合され、前記ベース信号源から前記ベースクロック信号を受けるための第１の入力と、
前記電子装置の外部にある記憶装置に結合され、前記記憶装置から前記ベース周波数の値を受けるための第２の入力と、
複数の分周器とを含み、各分周器は、前記第１の入力に結合され、それぞれの周波数を有するそれぞれの分周クロック信号を発生するようそれぞれの係数によって前記ベースクロック信号の前記ベース周波数を分周し、前記クロック信号発生器はさらに、
前記複数の分周クロック信号から前記基準周波数に最も近いそれぞれの周波数を有する分周クロック信号を前記基準クロック信号として選択するよう、前記第２の入力と前記複数の分周器とに結合されるマルチプレクサを含み、
前記電子装置はコンピュータホストシステムとコンピュータネットワークとの間に結合されるイーサネットコンピュータネットワーク周辺装置であり、前記ベース信号源は前記コンピュータホストシステムからであり、前記ベース周波数の前記値を含む前記記憶装置は前記コンピュータホストシステム内のＥＥＰＲＯＭである、クロック信号発生器。
【請求項９】
ベース周波数を有するベースクロック信号から電子装置のため基準周波数を有する基準クロック信号を発生するクロック信号発生器であって、
前記電子装置の外部にあるベース信号源に結合され、前記ベース信号源から前記ベースクロック信号を受けるための第１の入力と、
前記電子装置の外部にある記憶装置に結合され、前記記憶装置から前記ベース周波数の値を受けるための第２の入力と、
複数の分周器とを含み、各分周器は、前記第１の入力に結合され、それぞれの周波数を
有するそれぞれの分周クロック信号を発生するようそれぞれの係数によって前記ベースクロック信号の前記ベース周波数を分周し、前記クロック信号発生器はさらに、
前記複数の分周クロック信号から前記基準周波数に最も近いそれぞれの周波数を有する分周クロック信号を前記基準クロック信号として選択するよう、前記第２の入力と前記複数の分周器とに結合されるマルチプレクサを含み、
前記電子装置はコンピュータホストシステムとコンピュータネットワークとの間に結合されるイーサネットコンピュータネットワーク周辺装置であり、前記ベース信号源は前記コンピュータネットワークからであり、前記ベース周波数の前記値を含む前記記憶装置は前記コンピュータネットワーク内のＥＥＰＲＯＭである、クロック信号発生器。
【請求項１０】
ベース周波数を有するベースクロック信号から電子装置のため基準周波数を有する基準クロック信号を発生するクロック信号発生器であって、
前記電子装置の外部にあるベース信号源に結合され、前記ベース信号源から前記ベースクロック信号を受けるための第１の入力と、
前記電子装置の外部にある記憶装置に結合され、前記記憶装置から前記ベース周波数の値を受けるための第２の入力と、
複数の分周器とを含み、各分周器は、前記第１の入力に結合され、それぞれの周波数を有するそれぞれの分周クロック信号を発生するようそれぞれの係数によって前記ベースクロック信号の前記ベース周波数を分周し、前記クロック信号発生器はさらに、
前記複数の分周クロック信号から前記基準周波数に最も近いそれぞれの周波数を有する分周クロック信号を前記基準クロック信号として選択するよう、前記第２の入力と前記複数の分周器とに結合されるマルチプレクサと、
前記第１の入力と前記第２の入力と前記記憶装置とに結合され、前記記憶装置から前記ベース周波数の前記値を読出すために前記ベースクロック信号から記憶装置周波数を有する記憶装置クロック信号を発生するための記憶装置クロック信号発生器と含み、
前記記憶装置クロック信号発生器は、
各々が前記第１の入力に結合され、それぞれの周波数を有するそれぞれの分周クロック信号を発生するようそれぞれの係数によって前記ベースクロック信号の前記ベース周波数を分周するための第２の複数の分周器と、
前記第２の複数の分周器の前記分周クロック信号から前記記憶装置周波数に最も近いそれぞれの周波数を有する分周クロック信号を前記記憶装置クロック信号として選択するよう前記第２の入力と前記第２の複数の分周器とに結合される第２のマルチプレクサとをさらに含む、クロック信号発生器。
【請求項１１】
前記電子装置が初期化している最中に、前記第２のマルチプレクサは、前記第２の複数の分周器の前記分周クロック信号の前記それぞれの周波数のうち最も低い周波数であるそれぞれの周波数を有する分周クロック信号を前記記憶装置クロック信号として選択する、請求項１０に記載のクロック信号発生器。
【請求項１２】
コンピュータホストシステムとコンピュータネットワークとの間に係合されるイーサネットコンピュータネットワーク周辺装置に対して第１の基準周波数を有する第１の基準クロック信号と第２の基準周波数を有する第２の基準クロック信号とを、ベース周波数を有するベースクロック信号から発生するクロック信号発生器であって、
前記コンピュータホストシステムの一部であるベース信号源に結合され、前記ベース信号源から前記ベースクロック信号を受取るための第１の入力と、
前記コンピュータホストシステムの一部であるＥＥＰＲＯＭに結合され、前記ＥＥＰＲＯＭから前記ベース周波数の値を受取るための第２の入力と、
各々が前記第１の入力に結合され、それぞれの周波数を有するそれぞれの分周クロック信号を発生するようそれぞれの係数で前記ベースクロック信号の前記ベース周波数を分周するための複数の分周器と、
前記第１の基準周波数に最も近い第１のそれぞれの周波数を有する第１の分周クロック信号を前記第１の基準クロック信号として選択し、前記第２の基準周波数に最も近い第２のそれぞれの周波数を有する第２のそれぞれの分周クロック信号を前記第２の基準クロック信号として選択するよう、前記第２の入力と前記複数の分周器とに結合されるマルチプレクサと、
前記第１の入力と前記第２の入力と前記ＥＥＰＲＯＭとに結合され、前記ＥＥＰＲＯＭから前記ベース周波数の前記値を読出すために前記ベースクロック信号からＥＥＰＲＯＭ周波数を有するＥＥＰＲＯＭクロック信号を発生するためのＥＥＰＲＯＭクロック信号発生器とを含み、前記ＥＥＰＲＯＭクロック信号発生器はさらに、
各々が前記第１の入力に結合され、それぞれの周波数を有するそれぞれの分周クロック信号を発生するようそれぞれの係数で前記ベースクロック信号の前記ベース周波数を分周するための第２の複数の分周器と、
前記第２の複数の分周器の前記分周クロック信号から前記ＥＥＰＲＯＭ周波数に最も近いそれぞれの周波数を有する分周クロック信号を前記ＥＥＰＲＯＭクロック信号として選択するよう、前記第２の入力と前記第２の複数の分周器とに結合される第２のマルチプレクサとを含む、クロック信号発生器。
【請求項１３】
ベース周波数を有するベースクロック信号から、電子装置のため基準周波数を有する基準クロック信号を発生するクロック信号発生器であって、
前記電子装置の外部にあるさまざまなベース信号源の１つに結合され、前記ベース信号源から前記ベースクロック信号を受取るための第１の入力を含み、前記ベースクロック信号の前記ベース周波数は前記第１の入力が結合される前記さまざまな前記ベース信号源のうちの前記１つに依って可変であり、前記クロック信号発生器はさらに、
前記電子装置の外部にある記憶装置に結合され、前記記憶装置から前記ベース周波数の値を受取るための第２の入力を含み、前記記憶装置は前記第１の入力が結合される前記さまざまな前記ベース信号源のうちの前記１つに対応し、前記クロック信号発生器はさらに、
前記ベースクロック信号を分周することによって複数の分周クロック信号を発生するための手段を含み、各分周クロック信号はそれぞれの周波数を有し、前記クロック信号発生器はさらに、
前記複数の分周クロック信号から、前記基準周波数に最も近いそれぞれの周波数を有する分周クロック信号を、前記基準クロック信号として選択するための手段を含む、クロック信号発生器。
【請求項１４】
前記記憶装置から前記ベース周波数の前記値を読出すために、前記ベースクロック信号から記憶装置クロック信号を発生するための手段をさらに含む、請求項１３に記載のクロック信号発生器。
【請求項１５】
ベース周波数を有するベースクロック信号から、電子装置のため基準周波数を有する基準クロック信号を発生するための方法であって、
前記電子装置の外部にあるさまざまなベース信号源の１つから前記ベースクロック信号を受取るステップを含み、前記ベースクロック信号の前記ベース周波数は前記ベースクロック信号がそこから受取られる前記さまざまな前記ベース信号源のうちの前記１つに依って可変であり、前記方法はさらに、
前記電子装置の外部にある記憶装置から前記ベース周波数の値を受取るステップを含み、前記記憶装置は前記ベースクロック信号がそこから受取られる前記さまざまな前記ベース信号源のうちの前記１つに対応し前記方法はさらに、
それぞれの周波数を各々が有する複数の分周クロック信号を発生するよう、複数の係数で前記ベースクロック信号の前記ベース周波数を分周するステップと、
前記複数の分周クロック信号から、前記基準周波数に最も近いそれぞれの周波数を有す
る分周クロック信号を、前記基準クロック信号として選択するステップとを含む、方法。
【請求項１６】
前記基準クロック信号を選択する前記ステップはさらに、
前記複数の分周クロック信号から、第１の基準周波数に最も近い第１のそれぞれの周波数を有する第１の分周クロック信号を、前記第１の基準周波数を有する第１の基準クロック信号として選択するステップと、
前記複数の分周クロック信号から、第２の基準周波数に最も近い第２のそれぞれの周波数を有する第２の分周クロック信号を、第２の基準周波数を有する第２の基準クロック信号として選択するステップとを含む、請求項１５に記載の方法。
【請求項１７】
前記記憶装置から前記ベース周波数の前記値を読出すために、前記ベースクロック信号から記憶装置周波数を有する記憶装置クロック信号を発生するステップをさらに含む、請求項１５に記載の方法。
【請求項１８】
前記記憶装置クロック信号を発生する前記ステップはさらに、
それぞれの周波数を各々が有する第２の複数の分周クロック信号を発生するよう、複数の係数で前記ベースクロック信号の前記ベース周波数を分周するステップと、
前記第２の複数の分周クロック信号から、前記記憶装置周波数に最も近いそれぞれの周波数を有する分周クロック信号を、前記記憶装置クロック信号として選択するステップとを含む、請求項１７に記載の方法。
【請求項１９】
前記記憶装置クロック信号を発生する前記ステップはさらに、
前記電子装置が初期化されている最中に、前記第２の複数の分周クロック信号のうち最も低いものであるそれぞれの周波数を有する分周クロック信号を前記記憶装置クロック信号として選択するステップをさらに含む、請求項１８に記載の方法。
【請求項２０】
前記電子装置はコンピュータホストシステムとコンピュータネットワークとの間に結合されるイーサネットコンピュータネットワーク周辺装置であり、前記ベース信号源は前記コンピュータホストシステムからであり、前記ベース周波数の前記値を含む前記記憶装置は前記コンピュータホストシステム内のＥＥＰＲＯＭである、請求項１５に記載の方法。
【請求項２１】
前記電子装置はコンピュータホストシステムとコンピュータネットワークとの間に結合されるイーサネットコンピュータネットワーク周辺装置であり、前記ベース信号源は前記コンピュータネットワークからであり、前記ベース周波数の前記値を含む前記記憶装置は前記コンピュータネットワーク内のＥＥＰＲＯＭである、請求項１５に記載の方法。
【請求項２２】
ベース周波数を有するベースクロック信号から、電子装置のため基準周波数を有する基準クロック信号を発生するための方法であって、
前記電子装置の外部にあるベース信号源から前記ベースクロック信号を受取るステップと、
前記電子装置の外部にある記憶装置から前記ベース周波数の値を受取るステップと、
それぞれの周波数を各々が有する複数の分周クロック信号を発生するよう、複数の係数で前記ベースクロック信号の前記ベース周波数を分周するステップと、
前記複数の分周クロック信号から、前記基準周波数に最も近いそれぞれの周波数を有する分周クロック信号を、前記基準クロック信号として選択するステップとを含み、
前記電子装置はコンピュータホストシステムとコンピュータネットワークとの間に結合されるイーサネットコンピュータネットワーク周辺装置であり、前記ベース信号源は前記コンピュータホストシステムからであり、前記ベース周波数の前記値を含む前記記憶装置は前記コンピュータホストシステム内のＥＥＰＲＯＭである、方法。
【請求項２３】
ベース周波数を有するベースクロック信号から、電子装置のため基準周波数を有する基準クロック信号を発生するための方法であって、
前記電子装置の外部にあるベース信号源から前記ベースクロック信号を受取るステップと、
前記電子装置の外部にある記憶装置から前記ベース周波数の値を受取るステップと、
それぞれの周波数を各々が有する複数の分周クロック信号を発生するよう、複数の係数で前記ベースクロック信号の前記ベース周波数を分周するステップと、
前記複数の分周クロック信号から、前記基準周波数に最も近いそれぞれの周波数を有する分周クロック信号を、前記基準クロック信号として選択するステップとを含み、
前記電子装置はコンピュータホストシステムとコンピュータネットワークとの間に結合されるイーサネットコンピュータネットワーク周辺装置であり、前記ベース信号源は前記コンピュータネットワークからであり、前記ベース周波数の前記値を含む前記記憶装置は前記コンピュータネットワーク内のＥＥＰＲＯＭである、方法。
【請求項２４】
ベース周波数を有するベースクロック信号から、電子装置のため基準周波数を有する基準クロック信号を発生するための方法であって、
前記電子装置の外部にあるベース信号源から前記ベースクロック信号を受取るステップと、
前記電子装置の外部にある記憶装置から前記ベース周波数の値を受取るステップと、
それぞれの周波数を各々が有する複数の分周クロック信号を発生するよう、複数の係数で前記ベースクロック信号の前記ベース周波数を分周するステップと、
前記複数の分周クロック信号から、前記基準周波数に最も近いそれぞれの周波数を有する分周クロック信号を、前記基準クロック信号として選択するステップと、
前記記憶装置から前記ベース周波数の前記値を読出すために、前記ベースクロック信号から記憶装置周波数を有する記憶装置クロック信号を発生するステップとを含み、
前記記憶装置クロック信号を発生する前記ステップはさらに、
それぞれの周波数を各々が有する第２の複数の分周クロック信号を発生するよう、複数の係数で前記ベースクロック信号の前記ベース周波数を分周するステップと、
前記第２の複数の分周クロック信号から、前記記憶装置周波数に最も近いそれぞれの周波数を有する分周クロック信号を、前記記憶装置クロック信号として選択するステップとを含む、方法。
【請求項２５】
前記記憶装置クロック信号を発生する前記ステップはさらに、
前記電子装置が初期化されている最中に、前記第２の複数の分周クロック信号のうち最も低いものであるそれぞれの周波数を有する分周クロック信号を前記記憶装置クロック信号として選択するステップをさらに含む、請求項２４に記載の方法。